(57)【要約】      （修正有）【課題】エンドユーザーが、効率よく、かつ容易に、荷物から上記編み帯を取り外すことができるように編み帯を切ることが可能な編み帯切刃を提供する。【解決手段】グリップ１０を有し、該グリップの両端が、それぞれ、第一端１１と第二端１２として定義され、上記グリップの周縁において、上記第一端の近傍に上記第二端から上記第一端へ向かって伸びるように切り開口１４が設置され、上記切り開口の閉鎖端に、更に、二つの案内溝１５が連接され、また、上記切り開口内に、更に、ブレード２０が設置される。これにより、上記編み帯切刃１００で、編み帯を切る時、有効に切り分けられた上記編み帯が、案内されて分離され、上記編み帯が、上記切り開口に堆積することやユーザーの手に行き止められることを防止することができるので、上記編み帯切刃で、スムーズに上記編み帯を切ることができる。【選択図】図４
0003171128.tif 000002
【実用新案登録請求の範囲】
【請求項１】
グリップと刃部を有するブレードとからなる編み帯切刃であって、
上記グリップの両端が、第一端と第二端であり、上記第一端の近傍に、切り開口が形成され、上記切り開口が、上記第二端から上記第一端へ向かって伸びるように設置され、また、上記切り開口に、開口端と閉鎖端が形成され、上記グリップの両側において、上記第一端の近傍に、更に、それぞれ、案内溝が設置され、上記案内溝の一端が、上記切り開口の閉鎖端に連結され、他端において、上記切り開口の長手方向に沿って、外方へ傾斜する傾斜面が形成され、
上記プレートが、上記切り開口の近傍に位置するように、上記グリップに設置され、周縁に、上記切り開口から露出する刃部を有することを特徴とする編み帯切刃。
【請求項２】
上記グリップにおいて、上記第一端の近傍において、横方向に切り部が伸び、上記切り部上に、更に、上記切り開口と上記案内溝が形成され、同時に、上記ブレードが、上記切り部にも設置されることを特徴とする請求項１に記載の編み帯切刃。
【請求項３】
上記切り部上に、上記切り開口に連通する収納槽が形成され、上記収納槽内に、上記ブレードが収納され、同時に、上記編み帯切刃に、更に、固定蓋板を有し、上記固定蓋板が、上記ブレードの外側に位置するように、上記収納槽に固定されることを特徴とする請求項２に記載の編み帯切刃。
【請求項４】
上記収納槽の槽底に、第一貫通孔が貫設され、上記ブレード上に、それに対応する第二貫通孔が設けられ、また、上記固定蓋板上に、それに対応する第三貫通孔が設けられ、同時に、上記編み帯切刃に、更に、固定部材が設けてあり、上記固定部材が、上記第一貫通孔と上記第二貫通孔及び上記第三貫通孔に貫設されて固定されることを特徴とする請求項３に記載の編み帯切刃。
【請求項５】
上記固定部材に、上記第一貫通孔と上記第二貫通孔及び上記第三貫通孔に貫設されるボルトと、上記ボルトの末端に固定されるナットを設けてあることを特徴とする請求項４に記載の編み帯切刃。
【考案の詳細な説明】
【技術分野】
【０００１】
本考案は、編み帯切刃に関するものであり、さらに詳しくは、編み帯を効率よく、かつ容易に荷物から取り外すことが可能な縮み帯切刃に関するものである。
【背景技術】
【０００２】
編み帯で、荷物を締めて固定するのは、一般の荷物の固定方法であり、これにより、荷物が運送途中で、揺動や衝撃によっても、緩めて散乱し落下することを防止することができる。かかる状況下において、エンドユーザーは、十分注意して上記編み帯を取り外すため、図１のような切刃４００が開発されている。上記切刃４００は、グリップ４０１を有し、上記グリップ４０１の両端が、第一端４０２と第二端４０３であり、また、上記グリップ４０１において、上記第一端４０２の近くに形成されてある周縁に、上記第二端４０３へ向かって切り開口４０４が設けられてある。また、開口端４０５と閉鎖端４０６が形成されてある。また、上記切刃４００において、上記グリップ４０１内に、ブレード４０７が設置され、上記ブレード４０７は、刃部４０８を有し、上記刃部４０８が、上記切り開口４０４から露出し、これにより、ユーザーは、図２のように、手で上記グリップ４０１を握って、上記切り開口４０４を、編み帯２００に合わせて、上記編み帯２００の方向へ、上記切刃４００を変位させると、上記ブレード４０７で、上記編み帯２００を切ることができる。
【０００３】
しかしながら、上記編み帯２００は、編み物からなる布で作製され、比較的に軟質であり、上記切刃４００の切り開口４０４は、上記第一端４０２から、上記第二端４０３へ向かうように、設置されるため、上記切刃４００で、上記編み帯２００を切る時、上記編み帯２００の幅が、上記切り開口４０４の長手よりも大きい場合、上記編み帯２００の切られた部分が、容易に、上記切り開口４０４の閉鎖端４０６に堆積され、或いは、ユーザーの手によって止まることがあるので、上記切刃４００により、有効に上記編み帯２００を切ることができないことが少なくない。そのため、上記の欠点が改良され、作業効率を向上できる編み帯切刃が、求められてきた。
【考案の開示】
【考案が解決しようとする課題】
【０００４】
従って、本考案の課題は、エンドユーザーが、効率よく、かつ容易に、荷物から上記編み帯を取り外すことができるように編み帯を切ることが可能な編み帯切刃を提供することにある。
【課題を解決するための手段】
【０００５】
そこで、本考案者は、前記の本考案の課題を解決するために鋭意検討を重ねた結果、閉鎖端の一端に案内溝を連結し、他端に外方へ傾斜する傾斜面を設けることを包含する構成に着目し、かかる知見に基いて本考案に想到するに至った。
【０００６】
かくして、請求項１に係る考案によれば、グリップと刃部を有するブレードとからなる編み帯切刃であって、
上記グリップの両端が、第一端と第二端であり、上記第一端の近傍に、切り開口が形成され、上記切り開口が、上記第二端から上記第一端へ向かって伸びるように設置され、また、上記切り開口に、開口端と閉鎖端が形成され、上記グリップの両側において、上記第一端の近傍に、更に、それぞれ、案内溝が設置され、上記案内溝の一端が、上記切り開口の閉鎖端に連結され、他端において、上記切り開口の長手方向に沿って、外方へ傾斜する傾斜面が形成され、
上記プレートが、上記切り開口の近傍に位置するように、上記グリップに設置され、周縁に、上記切り開口から露出する刃部を有することを特徴とする編み帯切刃が提供される。
【０００７】
請求項２の考案によれば、上記グリップにおいて、上記第一端の近傍において、横方向に切り部が伸び、上記切り部上に、更に、上記切り開口と上記案内溝が形成され、同時に、上記ブレードが、上記切り部にも設置されることを特徴とする請求項１に記載の編み帯切刃が提供される。
【０００８】
請求項３の考案によれば、上記切り部上に、上記切り開口に連通する収納槽が形成され、上記収納槽内に、上記ブレードが収納され、同時に、上記編み帯切刃に、更に、固定蓋板を有し、上記固定蓋板が、上記ブレードの外側に位置するように、上記収納槽に固定されることを特徴とする請求項２に記載の編み帯切刃が提供される。
【０００９】
請求項４の考案によれば、上記収納槽の槽底に、第一貫通孔が貫設され、上記ブレード上に、それに対応する第二貫通孔が設けられ、また、上記固定蓋板上に、それに対応する第三貫通孔が設けられ、同時に、上記編み帯切刃に、更に、固定部材が設けてあり、上記固定部材が、上記第一貫通孔と上記第二貫通孔及び上記第三貫通孔に貫設されて固定されることを特徴とする請求項３に記載の編み帯切刃が提供される。
【００１０】
請求項５の考案によれば、上記固定部材に、上記第一貫通孔と上記第二貫通孔及び上記第三貫通孔に貫設されるボルトと、上記ボルトの末端に固定されるナットを設けてあることを特徴とする請求項４に記載の編み帯切刃が提供される。
【考案の効果】
【００１１】
本考案は、上記の通りの構成からなり、編み帯が、切刃の切り開口部分に堆積することなく、また、ユーザーの手で行き止められることなく、効率よく、編み帯を切り分けることができる。さらに、編み帯の幅が切刃の開口より大きい場合も編み帯が切り開口に堆積することもなく、荷物から編み帯を取り外すことができる。
【考案を実施するための最良の形態】
【００１２】
以下、図面を参照しながら、本考案の特徴や技術内容について、詳しく説明する。もっとも、それらの図面等は、参考や説明のためのものであり、本考案は、それらによって限定されるものではない。
【００１３】
図３乃至図５は、本考案の好適な実施形態である編み帯切刃１００を示したものである。上記編み帯切刃１００は、次のような構成になる。
【００１４】
グリップ１０は、両端が、第一端１１と第二端１２として定義される。上記第一端１１の近傍に、横方向に、切り部１３が伸び、周縁において、上記第一端１１の近傍に、切り開口１４が設けられる。本実施形態において、上記切り開口１４が、上記切り部１３上に設置され、上記切り開口１４が、上記第二端１２から上記第一端１１へ向かって伸びるように設置される。また、開口端１４１と閉鎖端１４２が形成され、上記グリップ１０の両側において、上記第一端１１の近傍に、更に、案内溝１５が設置され、上記案内溝１５が、それぞれ、上記切り部１３の両側に設置され、その一端が、上記切り開口１４の閉鎖端１４２に連結される。他端が、上記切り開口１４の長手方向に沿って外方へ傾斜する図６のような傾斜面１５１が形成されて、上記切り部１３の周縁に連結される。また、上記切り部１３に、上記切り開口１４に連通する収納槽１６が設けられ、上記収納槽１６の槽底に、第一貫通孔１７が貫設され、周縁において、上記第一端１１の近傍に、複数の滑り止め突起部１８が設けられ、上記第二端１２の近傍にも、複数の滑り止め突起部１８と鋭部１９が設けられる。
【００１５】
ブレード２０は、上記切り開口１４の近くに位置するように、上記グリップ１０に設置される。また、周縁に、刃部２１が設けられ、上記刃部２１が、上記切り開口１４から露出し、本実施形態において、上記ブレード２０が、上記切り部１３に設置されて、上記収納槽１６内に収納される。また、上記ブレード２０に、上記第一貫通孔１７に対応する第二貫通孔２２が設けられ、同時に、上記ブレード２０の一側において、更に、周縁に沿って、複数のマーク部２３が設けられ、上記マーク部２３が、突出点や本実施形態のような彫刻線である。
【００１６】
固定蓋板３０は、上記ブレード２０の外側に位置するように、上記収納槽１６に固定され、上記ブレード２０を、上記収納槽１６内に制限するためのものである。また、上記固定蓋板３０の上に、上記第一貫通孔１７に対応する第三貫通孔３１が設けられる。
【００１７】
固定部材４０は、上記第一貫通孔１７と上記第二貫通孔２２及び上記第三貫通孔３１に貫設され、本実施形態において、上記固定部材４０は、上記第一貫通孔１７と上記第二貫通孔２２及び上記第三貫通孔３１に貫設されるボルト４１と、上記ボルト４１の末端に螺着されるナット４２と、を備える。
【００１８】
図７と図８に示すように、ユーザーが、上記編み帯切刃１００で編み帯２００を切る時、手で、上記グリップ１０を握って、上記切り開口１４の開口端１４１を、上記編み帯２００に合わせて、上記編み帯２００の方向へ、上記編み帯切刃１００を移動させると、上記ブレード２０の刃部２１で、上記編み帯２００を切り分けることができる。上記切り開口１４が、上記第二端１２から上記第一端１１へ向かって設置されるため、切り過程中、ユーザーの手が、上記編み帯２００から離れる方向へ移動する。これにより、上記編み帯２００が切り分けられた後、ユーザーの手に、行き止められ、同時に、上記切り部１３の両側に、それぞれ、上記案内溝１５が設置されるため、上記編み帯２００が切り分けられると、上記の傾斜面１５１に案内されて分離する。これにより、効率よく、上記編み帯２００が、上記切り開口１４の閉鎖端１４２に堆積することを防止できる。そのため、上記編み帯切刃１００で、有効に、上記編み帯２００を切ることができる。また、上記編み帯２００の幅が、上記切り開口１４の長手よりも大きい場合でも、上記編み帯２００が上記切り開口１４に堆積することやユーザーの手で行き止められることはなく、エンドユーザーは、簡単に、荷物から上記編み帯２００を取り外すことができる。
【００１９】
図９に示すように、一般の梱包作業は、上記編み帯２００で固定効果を得るだけでなく、段ボール箱３００を運輸媒体とすることが多いため、ユーザーは、上記段ボール箱３００を開封する時、逆方向に上記編み帯切刃１００を握って、上記鋭部１９を、上記段ボール箱３００両側板３０１の連接部３０２に差し込んで、上記段ボール箱３００の密封テープ３０３を切り分けると、上記段ボール箱３００を開封できる。これにより、上記編み帯切刃１００の適用範囲が拡大する。
【００２０】
図１０に示すように、上記ブレード２０の周縁に、上記刃部２１が設けられ、また、上記ブレード２０上に、上記マーク部２３が設けられるため、上記ブレード２０が、長期的に使用されて刃部２１が鈍くなる場合やチッピングが発生した場合、ユーザーが、上記固定部材４０を緩めて、上記マーク部２３の標示に従って、上記ブレード２０をある角度に回転すると、上記刃部２１の使用されていない部分を利用できる。これにより、上記ブレード２０の耐用寿命が向上し、コストを節約できる。
【００２１】
また、上記グリップ１０は、周縁において、上記第一端１１と上記第二端１２の近くに、それぞれ、複数の滑り止め突起部１８が設けられるため、ユーザーが、上記グリップ１０を握る時、正方向に握っても逆方向に握っても、上記ら滑り止め突起部１８により、優れた滑り止めの効果が得られ、ユーザーが、より便利に上記編み帯切刃１００を操作できる。
【００２２】
以上は、本考案の好適な実施形態であり、本考案は、それらによって限定されるものではなく、本考案に係わる実用新案登録請求の範囲や明細書の内容に基づいて行った等価の変更や修正は、全てが、本考案の範囲内に含まれる。
【図面の簡単な説明】
【００２３】
【図１】従来の切刃の斜視図である。
【図２】従来の切刃の使用概念図である。
【図３】本考案の一実施形態による切刃の斜視図である。
【図４】本考案の一実施形態による切刃の分解斜視図である。
【図５】本考案の一実施形態による切刃の側面図である。
【図６】本考案の一実施形態による切刃の図５のＡ−Ａ線の断面図である。
【図７】本考案の一実施形態による切刃の上記ブレードで編み帯を切る状態を示す使用概念図である。
【図８】本考案の一実施形態による切刃の案内溝で切り分けられた編み帯が案内されて分離された状態を示す使用概念図である。
【図９】本考案の一実施形態による切刃の鋭部で段ボール箱を開封する状態を示す使用概念図である。
【図１０】本考案の一実施形態による切刃のブレードをする角度を回転した状態を示す使用概念図である。
【符号の説明】
【００２４】
１０  グリップ
１００  編み帯切刃
１１  第一端
１２  第二端
１３  切り部
１４  切り開口
１４１  開口端
１４２  閉鎖端
１５  案内溝
１５１  傾斜面
１６  収納槽
１７  第一貫通孔
１８  滑り止め突起部
１９  鋭部
２０  ブレード
２００  編み帯
２１  刃部
２２  第二貫通孔
２３  マーク部
３０  固定蓋板
３００  段ボール箱
３０１  側板
３０２  連接部
３０３  密封テープ
３１  第三貫通孔
４０  固定部材
４００  切刃
４０１  グリップ
４０２  第一端
４０３  第二端
４０４  切り開口
４０５  開口端
４０６  閉鎖端
４０７  ブレード
４０８   刃部
４１  ボルト
４２ ナット
【図１】
0003171128.tif 000003
【図２】
0003171128.tif 000004
【図３】
0003171128.tif 000005
【図４】
0003171128.tif 000006
【図５】
0003171128.tif 000007
【図６】
0003171128.tif 000008
【図７】
0003171128.tif 000009
【図８】
0003171128.tif 000010
【図９】
0003171128.tif 000011
【図１０】
0003171128.tif 000012